(57)【要約】  本発明は、ノードBがアイドルモード及びCELL_FACH状態にタウンリンクインナーループ電力制御モードを確定する方法及び装置を提供する。前記方法は、ノード Bがアイドルモード又はCELL_FACH状態におけるUEがE-DCHチャネルを使用していることを検知すると、モード0を採用して前記UEがDPCCHで送信されたTPCビット情報を確定し、且つF-DPCHに対してタウンリンクインナーループ電力制御を行う。本発明が提供された方法及び装置は、ノード BがF-DPCHに対してインナーループ電力制御を行うモードとUEがフィードバックしたTPCビット情報モードを一致させ、F-DPCHが適当な送信パワーで送信することを可能にさせ、UEがF-DPCHチャネルと同期することを保証し、リンクが正常に作業できることを保持し、これにより、ノード Bが正確的にE-DPDCHにおけるデータ情報を受信できる     ことを保証する。
2012527797.tif 000002
【特許請求の範囲】
【請求項１】
基地局がタウンリンクインナーループ電力制御方式を確定する方法であって、前記方法は、
ノードBNodeBは、アイドルIdleモードまたはセル-フォワード・アクセス・チャネル CELL_FACH 状態におけるユーザ設備UEが拡張専用チャネルE-DCHチャネルを使用することを検知した際、モード0を採用して前記UEがアップリンク専用物理制御チャネルDPCCHで送信した送信パワー制御TPCビット情報を受信し、且つ部分専用物理制御チャネルF-DPCHに対してタウンリンクインナーループ電力制御を行うことを含む。
【請求項２】
前記UEが前記IdleモードまたはCELL_FACH状態において、モード0を採用して前記ノード Bへ前記TPCビット情報を送信する請求項１に記載の方法。
【請求項３】
前記ノード Bが検知を行うステップの前に、前記方法は、さらに、
無線ネットワーク制御器は、物理共有チャネル再配置要求メッセージによって前記ノード Bに公共E-DCH配置情報を通知し、及び、
前記ノード Bが前記物理共有チャネル再配置要求メッセージを受信した後、そのうちの公共E-DCH配置情報を選択して記憶し、且つ前記無線ネットワーク制御器へ物理共有チャネル再配置応答メッセージを返事することを含む請求項１または２に記載の方法。
【請求項４】
前記公共E-DCH配置情報が、前記物理共有チャネル再配置要求メッセージにおける公共E-DCHシステム情報Common E-DCH SystemInformation中に配置される請求項３に記載の方法。
【請求項５】
前記ノード Bが公共E-DCH配置情報に対して記憶するステップは、
前記公共E-DCHシステム情報にタウンリンクインナーループ電力制御モードDPC MODEの配置情報を含まない時、前記ノード Bがすべての公共E-DCH配置情報を選択して記憶することである請求項４に記載の方法。
【請求項６】
前記ノード Bが公共E-DCH配置情報に対して記憶するステップは、
前記公共E-DCHシステム情報にタウンリンクインナーループ電力制御モードDPC MODEの配置情報を含む際、前記ノード Bが前記DPC MODEの配置情報以外のほかの公共E-DCH配置情報を選択して記憶することである請求項４に記載の方法。
【請求項７】
基地局がタウンリンクインナーループ電力制御方式を確定する装置であって、ノードBに応用され、前記装置は、
Idleモードまたはセル_フォワード・アクセス・チャネルCELL_FACH状態におけるユーザ設備UEが拡張専用チャネルE-DCHチャネルを使用することを検知する時、モード0を採用して前記UEがアップリンク専用物理制御チャネルDPCCHにおいて送信した送信パワー制御TPCビット情報を受信することを確定し、且つ部分専用物理制御チャネルF-DPCHに対してタウンリンクインナーループ電力制御を行うように設置されたDPCモード確定モジュールを含む。
【請求項８】
前記装置は、さらに、
無線ネットワーク制御器が物理共有チャネル再配置要求メッセージによって通知した公共E-DCH配置情報を受信した後、そのうちの前記公共E-DCH配置情報を選択して記憶し、且つ前記無線ネットワーク制御器へ物理共有チャネル再配置応答メッセージを返すように設置された公共E-DCH配置モジュールを含む請求項７に記載の装置。
【請求項９】
前記公共E-DCH配置モジュールは、さらに、前記無線ネットワーク制御器が前記物理共有チャネル再配置要求メッセージにおける公共E-DCHシステム情報によって前記公共E-DCH配置情報を配置し、且つ前記公共E-DCHシステム情報にタウンリンクインナーループ電力制御モードDPC MODEの配置情報を含む際、前記DPC MODEの配置情報以外のほかの公共E-DCH配置情報を選択して記憶し、さもないと、すべての公共E-DCH配置情報を選択して記憶するように設置される請求項８に記載の装置。
【請求項１０】
前記UEが前記IdleモードまたはCELL_FACH状態において、モード0を採用して前記ノードBへ前記TPCビット情報を送信する請求項７に記載の装置。
【発明の詳細な説明】
【技術分野】
【０００１】
本発明は、通信分野に関し、特に基地局でタウンリンクインナーループ電力制御モードを確定する方法及び装置に関する。
【背景技術】
【０００２】
移動通信システムの発展に従って、ユーザの業務サービス品質がもう運営商の最も重要な目標になっており、業務サービス品質がサービス性能を影響し、ユーザが業務に対する満足度を決めておる。ユーザのサービス品質を向上する1つの非常な重要な面は、接続の確立及びチャネルの割り当ての際の時間遅延であり、且つ比較的頻繁な小さなパケットの業務が存在し、このため、公共チャネルがどの様に作業したらより効果があることを考える必要がある。例えば、アップリンク及びタウンリンクのシグナリング遅延を減らす。ユーザ設備（User Equipment、UEと略称とする）が接続モードにある複数の状態は、CELL_FACH(セル・フォワード・アクセス・チャネル)、CELL_PCH(セル・ページング・チャネル)及びURA_PCH状態を含む、URA_PCH状態の下りシグナリング遅延3GPP(3rd Generation Partnership Project、第3世代の移動体通信システムの標準化プロジェクト)標準が下り高速パケットアクセス（High Speed Packet Access、 HSPAと略称する）を導入することによって実現し、上りシグナリング遅延問題も同様に存在する。
【０００３】
上りのシグナリング遅延を減らすために、以下の面を考える必要があり、
(1)アイドルモードを減らすし、CELL_FACH、CELL_PCH及びURA_PCH状態のユーザ面及び制御面の待ち時間を減らすこと、
(2) CELL_FACH状態のピーク値速率を増やすこと、
(3) アイドル、CELL_FACH、CELL_PCH、URA_PCH及びCELL_DCH状態の間の遷移遅延。
【０００４】
上記目的を達するために、3GPP標準がもうCELL_FACH状態及びアイドルモードの下にE-DCH(Enhanced Dedicated Channel、拡張専用チャネル)を使用することによって解決し、即ち、アイドルモード、CELL_FACH状態で高速アップリンクパケットアクセス（High Speed Uplink Packet Access、HSUPAと略称する）を使用する方式を導入することができる。説明を便利するために、本説明書には、アイドル状態及びCELL_FACH状態に、高速上りパケットアクセス技術を使用し、アップリンク拡張CELL_FACH技術と称する。
【０００５】
アップリンク拡張CELL_FACH技術の基本的な原理は、以下のようであり、ランダムアクセスの送信原理が、依然として、PRACH( Physical Random Access Channel、物理ランダムアクセスチャネル)のランダムアクセス過程を採用するが、チャネルのタイプが変化した、即ち、アイドルモード及びCELL_FACH状態にE-DCHも使用することができ、CCCH( Common Control Channel、公共制御チャネル)/ DCCH ( Dedicated Control Channel、専用制御チャネル)/ DTCH ( Dedicated Traffic Channel、 専用トラフィックチャネル)ロジックチャネルがすべてE-DCHにマッピングして送信することができる。E-DCHが、E-DCH専用物理データチャネル（E-DCH Dedicated Physical Data Channel、 E-DPDCHと略称する）にマッピングし、また、E-DPDCHチャネルが、E-DCH専用物理制御チャネル(E-DCH Dedicated Physical Control Channel、E-DPCCHと略称する)のみによって正常に作業することができ、また、E-DPCCHが専用物理制御チャネル(Dedicated Physical Control Channel、 DPCCHと略称する)のみの上に、作業することができ、このため、拡張CELL_FACH状態で、上りがDPCCH物理チャネルの存在を必要とし、上りDPCCHの正常作業に合せてリンク同期を行うために、下りにも部分専用物理制御チャネル（Fractional Dedicated Physical Control Channel、F-DPCHと略称する）が存在する必要がある。CELL_FACH状態及びアイドルモードの下の上りに対してDPCCHチャネルを導入し、下りにF-DPCHチャネルを導入し、このため、上下りの間にインナーループ電力制御を行う必要があり、そうしないと、E-DCH公共リソースを使用する期間内にリンク同期を保持することを保証できない。
【０００６】
現在、専用態（即ち、CELL_DCH状態で、ユーザに専用資源を配分する）のUEインナーループ電力制御が上下りに区分し、上りインナーループ電力制御アルゴリズム（Power Control Algorithm）は、アルゴリズム1(各のタイムスロットにインナーループ電力制御を行う必要がある)およびアルゴリズム2(5つのタイムスロットに一回のインナーループ電力制御を行う)という両種を有し、下りインナーループ電力制御モード（DPC MODE）も、モード0(各のタイムスロットにすべてインナーループ電力制御を行う必要がある)及びモード1(3つのタイムスロットに一回のインナーループ電力制御を行う)という両種を有する。
【０００７】
現在、3GPP協議のUuインタフェース（UE及びRNCの間のインタフェース）は、アイドルモード及びCELL_FACH状態のUE下りインナーループ電力制御がモード0(即ちDPC MODE=0)のみを採用することができ、且つ無線ネットワーク制御器（Radio Network Control、 RNCと略称する）がシグナリングでUEを通知する必要がない。ところで、RNCはIubインタフェース（RNC及びノードBの間のインタフェース）にアイドル状態及びCELL_FACH状態の下に使用されたDPC MODE配置セルが存在し、且つDPC MODEが両種のモード( MODE 0及び MODE 1)に配置されることができ、且つIubインタフェースの協議にこの場面に（即ちUEがアイドルモードまたはCELL_FACH状態になっている）Node B(ノードB、基地局)がDPC MODE 0のみを使用することができることを明確しない。このため、この場合には以下の問題が存在し、RNCがDPC MODEに非ゼロのモードを配置すると、ノード Bは、RNCが配置された非ゼロモードに従ってUE上りDPCCHにおけるTPC( Transmit Power Control、発信パワー制御)ビット情報を受信しインナーループ電力制御を行い、UEがずっとMODE 0を採用してTPCビット情報を送信し、これにより、ノード Bが調整したF-DPCH送信パワーは、UEが受信するものを望むのではなく、このため、小さすぎに調整し、リンク失敗を招き、正常に作業することができない可能性がある、または、大きすぎに調整して、下りのパワー資源を無駄し、且つ他の物理チャネルに対する干渉を増やすかもしれない。
【０００８】
上記の従来技術に存在している欠陥に鑑みて、ノード Bがアイドルモード及びCELL FACH状態に下りインナーループ電力制御モードを確定する方法を提供する必要があり、これにより、ノード BがF-DPCHに対してインナーループ電力制御を行う方式とUEがフィードバックしたTPCビットモードが一致しない問題を解決する。
【発明の概要】
【発明が解決しようとする課題】
【０００９】
本発明が解決しようとする技術問題は、ノード BがF-DPCHに対してインナーループ電力制御を行う方式とUEがフィードバックしたTPCビットモードが一致を保持することができる下りインナーループ電力制御モードを確定する方法及び装置を提供することである。
【課題を解決するための手段】
【００１０】
上記問題を解決するために、本発明は、基地局がタウンリンクインナーループ電力制御モードを確定する方法を提供し、前記方法は、
ノードB( Node B)は、アイドル（Idle）モードまたはセル・フォワード・アクセス・チャネル( CELL FACH )状態におけるユーザ設備(UE)がE-DCHチャネルを使用することを検知した際、モード0を採用してUEがアップリンク専用物理制御チャネル（DPCCH）で送信した送信パワー制御（TPC）ビット情報を受信し、且つ部分専用物理制御チャネル（F-DPCH）に対してタウンリンクインナーループ電力制御を行うことを含む。
【００１１】
UEがアイドルモードまたはCELL_FACH状態にモード0を採用してノード BへTPCビット情報を送信することができる。
【００１２】
ノード Bが検知を行うステップの前に、前記方法は、さらに、
無線ネットワーク制御器は、物理共有チャネル再配置要求メッセージによってノード Bに公共E-DCH配置情報を通知することができ、及び、ノード Bが物理共有チャネル再配置要求メッセージを受信した後、そのうちの公共E-DCH配置情報を選択して記憶することができ、且つ無線ネットワーク制御器へ物理共有チャネル再配置応答メッセージを返事できることを含む。
【００１３】
公共E-DCH配置情報が、物理共有チャネル再配置要求メッセージにおける公共E-DCHシステム情報（Common E-DCH System Information）に配置することができる。
【００１４】
ノード Bが公共E-DCH配置情報に対して記憶するステップは、公共E-DCHシステム情報に下りインナーループ電力制御モード（DPC MODE）の配置情報を含まない時、ノード Bがすべての公共E-DCH配置情報を選択して記憶できることであってもよい。
【００１５】
ノード Bが公共E-DCH配置情報に対して記憶するステップは、公共E-DCHシステム情報にDPC MODEの配置情報を含む際、ノード BがDPC MODEの配置情報を除きほかの公共E-DCH配置情報を選択して記憶できることであってもよい。
【００１６】
本発明は、さらに、基地局がタウンリンクインナーループ電力制御モードを確定する装置を提供し、ノードBに応用し、前記装置は、
アイドルモードまたはCELL_FACH状態におけるUEがE-DCHチャネルを使用することを検知する時、モード0を採用してUEがDPCCHで送信されたTPCビット情報を確定し、且つF-DPCHに対してタウンリンクインナーループ電力制御を行うように設置されたDPCモード確定モジュールを含む。
【００１７】
前記装置は、さらに、
無線ネットワーク制御器が物理共有チャネル再配置要求メッセージによって通知された公共E-DCH配置情報を受信した後、そのうちの公共E-DCH配置情報を選択して記憶し、且つ無線ネットワーク制御器へ物理共有チャネル再配置応答メッセージを返事するように設置された公共E-DCH配置モジュールを含む。
【００１８】
公共E-DCH配置モジュールは、さらに、無線ネットワーク制御器が物理共有チャネル再配置要求メッセージにおける公共E-DCHシステム情報によって公共E-DCH配置情報を配置し、且つ公共E-DCHシステム情報にDPC MODEの配置情報を含む際、DPC MODEの配置情報を除きほかの公共E-DCH配置情報を選択して記憶し、そうしないと、すべての公共E-DCH配置情報を選択して記憶するように設置される。
【００１９】
UEがアイドルモードまたはCELL_FACH状態に、モード0を採用してノードBへTPCビット情報を送信することができる。
【００２０】
本発明は、ノード Bがアイドルモード及びCELL_FACH状態でタウンリンクインナーループ電力制御モードを確定する方法及び装置を提供し、これにより、ノード BがF-DPCHに対してインナーループ電力制御を行う方式とUEがフィードバックしたTPCビット情報のモードとを一致させ、F-DPCHが適当な送信パワーで送信することを可能にさせ、UEがF-DPCHチャネルと同期することを保証し、リンクが正常に作業することを保持し、これにより、ノード Bが精確にE-DPDCHにおける送信されたデータ情報を受信することが保証する。
【図面の簡単な説明】
【００２１】
【図１】本発明の実施例1の方法のプロセス模式図である。
【図２】本発明の実施例2の方法のプロセス模式図である。
【発明を実施するための形態】
【００２２】
本発明は、以下の技術方案を採用し、
ステップ1、無線ネットワーク制御器は、シグナリングによってノード Bに公共E-DCH配置情報を通知し、ノード Bがシグナリングに通知された公共E-DCH配置情報を選択して記憶し、且つ応答メッセージを返事する、
ステップ2、ノード Bは、アイドルモードまたはCELL_FACH状態のUEがE-DCHチャネルを使用したことを検知する時、モード0を採用してF-DPCHに対してタウンリンクインナーループ電力制御を行う。
【００２３】
そのうち、ステップ1に、RNCがノード Bに公共E-DCH配置情報を配置した後、ステップ2に、ノード Bが従来の技術によってアイドルモードまたはCELL_FACH状態のUEがE-DCHチャネルを使用したことがあるかどうかを検知することができる。
【００２４】
そのうち、ステップ1に、前記のシグナリングメッセージが物理共有チャネル再配置要求メッセージ及び物理共有チャネル再配置応答メッセージであってもよい。
【００２５】
さらに、ステップ1に、前記の公共E-DCH配置情報が物理共有チャネル再配置メッセージにおける公共E-DCHシステム情報（Common E-DCH System Information ）によって配置される。前記の公共E-DCH配置情報とは、アイドルまたはCELL_FACH状態でE-DCHを使用する時、配置を必要とする公共情報である。
【００２６】
さらに、前記の公共E-DCHシステム情報にDPC      MODEの配置情報を含まなく、または、前記の公共E-DCHシステム情報にDPC MODEの配置情報を含むが、ノード Bが前記DPC MODEの配置情報を除きほかの公共E-DCH配置情報を選択して記憶する。RNCがどんなモードを配置することに関わらず、ノード Bがいずれも該配置情報を無視する。
【００２７】
以下、図面及び具体的な実施例を結合して本発明技術方案の実施に対して詳しく説明する。
【００２８】
（実施例1）
UEがCELL_FACH状態またはアイドルモードにある場合、ノード Bがタウンリンクインナーループ電力制御モードを確定する方法に対して、図1に示すように、主に以下のステップを含む。
【００２９】
ステップ110、無線ネットワーク制御器は、物理共有チャネル再配置情報によってノード Bに公共E-DCH配置情報を通知し、そのうち、タウンリンクインナーループ電力制御モード情報を含まないこと、
ステップ120、ノード Bが該シグナリングに通知されたすべての公共E-DCH配置情報を選択して記憶すること、
ステップ130、ノード Bが無線ネットワーク制御器へ物理共有チャネル再配置応答メッセージを返事すること、
ステップ140、ノード Bは、UEがCELL_FACH状態またはアイドルモードにE-DCHチャネルを使用したことを検知する時、モード0を採用してUEの上りDPCCHにおけるTPCビット情報を受信し、且つF-DPCHに対してタウンリンクインナーループ電力制御を行うこと。
【００３０】
（実施例2）
UEがCELL_FACH状態またはアイドルモードにある場合、ノード Bがタウンリンクインナーループ電力制御モードを確定する方法に対して、図2に示すように、主に以下のステップを含み、
ステップ210、無線ネットワーク制御器は、物理共有チャネル再配置情報によってノード Bに公共E-DCH配置情報を通知し、そのうち、タウンリンクインナーループ電力制御モード情報を含むこと、
ステップ220、ノード Bが該シグナリングに通知された下りインナーループ電力制御モード情報を除きほかの公共E-DCH配置情報を記憶すること、
ステップ230、ノード Bは、無線ネットワーク制御器へ物理共有チャネル再配置応答メッセージを返事すること、
ステップ240、ノード Bは、UEがCELL_FACH状態またはアイドルモードでE-DCHチャネルを使用したことを検知した際、モード0を採用してUEの上りDPCCHにおけるTPCビット情報を受信し、且つF-DPCHに対してタウンリンクインナーループ電力制御を行うこと。
【００３１】
そのほか、本発明の実施例にさらに、基地局がタウンリンクインナーループ電力制御モードを確定する装置(図面なし)を提供し、ノード Bに応用し、該装置は、
アイドルモードまたはCELL_FACH状態におけるUEがE-DCHチャネルを使用したことを検知すると、モード0を採用してUEがDPCCHで送信されたTPCビット情報を受信することを確定し、且つF-DPCHに対してタウンリンクインナーループ電力制御を行うように設置されたDPCモード確定モジュールを含む。
【００３２】
前記装置は、さらに、
無線ネットワーク制御器が物理共有チャネル再配置要求メッセージによって通知された公共E-DCH配置情報を受信した後、そのうちの公共E-DCH配置情報を選択して記憶し、且つ無線ネットワーク制御器へ物理共有チャネル再配置応答メッセージを返事するように設置された公共E-DCH配置モジュールを含む。
【００３３】
さらに、公共E-DCH配置モジュールは、無線ネットワーク制御器が物理共有チャネル再配置要求メッセージにおける公共E-DCHシステム情報によって公共E-DCH配置情報を配置し、且つ公共E-DCHシステム情報にDPC MODEの配置情報を含む際、DPC MODEの配置情報を除きほかの公共E-DCH配置情報を選択して記憶し、そうしないと、すべての公共E-DCH配置情報を選択して記憶するように設置される。
【００３４】
以上のように、ただ本発明の比較的に良い実施例であって、本発明の保護範囲を制限するためことではない。本発明は、さらに、他の多種の実施例を有し、本発明の精神及びその趣旨を離れない場合に、従業員は、本発明によって各種の相応の改変及び変形を行うことができるが、これらの相応の改変及び変形がすべて本発明に記載の請求項の保護範囲に属すべきである。
【産業上の利用可能性】
【００３５】
本発明は、ノード Bがアイドルモード及びCELL_FACH状態でタウンリンクインナーループ電力制御モードを確定する方法及び装置を提供し、これにより、ノード BがF-DPCHに対してインナーループ電力制御を行う方式とUEがフィードバックしたTPCビット情報のモードを一致させ、F-DPCHが適当な送信パワーで送信することを可能にさせ、UEがF-DPCHチャネルと同期することを保証し、リンクが正常に作業できることを保持し、これにより、ノード Bが精確にE-DPDCHにおける送信されたデータ情報を受信できることを保証する。
【図１】
2012527797.tif 000003
【図２】
2012527797.tif 000004
【国際調査報告】
2012527797.tif 000005
2012527797.tif 000006
2012527797.tif 000007
2012527797.tif 000008